(57)【要約】  正方形開放面を備えた平行六面体ハウジングであって、その正方形開放面を通してハウジング内の電気モータ駆動ファンが空気を推進する、平行六面体ハウジングを有する携帯型ボックスファンアセンブリと、ボックスファンアセンブリのハウジングの開放面にサイズが略対応する貫通開口を備える対向面を備えた平行六面体フレーム、およびフィルタアセンブリフレーム内のその面の間の空気ろ過材料のシートを有するフィルタアセンブリとから、空気ろ過アセンブリを形成するキット。本キットは、（１）複数のクリップまたはフックと、（２）クリップまたはフックをボックスファンアセンブリのハウジングの側部の外面に付着させる、ある長さの接着剤と、（３）クリップまたはフックの通路を通りかつボックスファンアセンブリとは反対側のフィルタアセンブリの面の周囲のクリップまたはフックの間に延在し、ボックスファンアセンブリのハウジングの面のうちの１つに沿ってフィルタアセンブリを保持するように適合される弾力的伸縮性コードと、を有する。
2008525192.tif 000002
【特許請求の範囲】
【請求項１】
ボックスファンアセンブリであって、
正方形開放面を備えた平行六面体ハウジングと、
前記ハウジングにかつその内部に取り付けられる固定部およびロータアセンブリを有する電気モータと、
同様に前記ハウジング内にありかつ前記ロータアセンブリに取り付けられるファンブレードと、
前記ロータアセンブリおよびファンが、前記開放面を通るように空気を移動させるように、前記ハウジングの前記開放面に対して垂直でありかつそこに略中心がある軸を中心に回転するように、前記モータを電源に接続する手段と
を備え、
前記ハウジングが、前記開放面の周辺部の間に、外面を有する対向側部を含む周囲壁を有する、
ボックスファンアセンブリと、
フィルタアセンブリであって、
対向する面を有する平行六面体フレームであって、前記面が貫通開口と略矩形周辺部とを有し、前記面の前記周辺部の間に周囲壁を有する、平行六面体フレームと、
前記フィルタアセンブリフレーム内の前記面の間のフィルタ材料のシートと、
を備え、
前記フィルタアセンブリの前記面のうちの１つが、前記ボックスファンアセンブリの前記ハウジングの前記面のうちの１つに形状が対応しかつそれに沿っており、
複数の取付部材であって、その各々が、背面、前記背面とは反対側の正面ならびに間隔が空けられた第１端および第２端を有する背面部と、前記背面部の前記正面に沿って延在し間隔が空けられた第１端および第２端を有する正面部と、前記背面部および前記正面部の前記第１端を接合する端部であって、前記正面部、前記背面部および前記端部を横切る通路を画定する端部と、を有する、複数の取付部材と、
前記取付部材の前記背面を前記周囲壁の前記側部の前記外面に接着させる複数の長さの接着剤と、
前記取付部材の前記通路内にかつ前記フィルタアセンブリの前記ボックスファンアセンブリとは反対側の面の周囲の前記取付部材の間に延在し、前記ボックスファンアセンブリの前記ハウジングの前記面のうちの１つに沿って前記フィルタアセンブリを保持する、少なくとも１つの弾性的伸縮性コードと、
を備えるフィルタアセンブリと、
を具備する、空気ろ過アセンブリ。
【請求項２】
前記取付部材が、弾性的可撓性材料からなるクリップであり、前記クリップの各々の前記正面部が、前記クリップの前記背面部の正面に沿って位置しかつそれに対して付勢される、請求項１に記載の空気ろ過アセンブリ。
【請求項３】
前記伸縮性コードが、前記コードをループ状に形成するように互いに接合される両端を有する、請求項１に記載の空気ろ過アセンブリ。
【請求項４】
前記伸縮性コードが、両端と、前記両端の各々に形成された前記コードのループと、を有し、前記ループが、前記取付部材の前記通路内を延在する、請求項１に記載の空気ろ過アセンブリ。
【請求項５】
前記ディスプレイアセンブリが、少なくとも４つの取付部材と少なくとも１つの伸縮性コードとを有し、前記取付部材のうちの２つが前記周囲壁の前記側部の各々に付着される、請求項１に記載の空気ろ過アセンブリ。
【請求項６】
前記取付部材が、前記正面部が前記背面部から間隔が空けられたフックである、請求項１に記載の空気ろ過アセンブリ。
【請求項７】
前記長さの接着剤が延伸剥離式接着剤の長さである、請求項１に記載の空気ろ過アセンブリ。
【請求項８】
ボックスファンアセンブリおよびフィルタアセンブリから空気ろ過アセンブリを形成するキットであって、前記ボックスファンアセンブリが、保護グリルが取り付けられる正方形開放面を備えた平行六面体ハウジングと、前記ハウジングにかつその内部に取り付けられる固定部分、および同様に前記ハウジング内においてファンブレードが取り付けられるロータアセンブリを有する電気モータであって、前記ロータアセンブリが、前記モータを前記ボックスファンに含まれる電源に接続する手段を介して前記モータが作動されると、前記保護グリルを通るように空気を移動させるように、前記面に対して垂直でありかつそこに略中心がある軸を中心に回転する、電気モータと、を有するタイプであり、前記ハウジングが、前記開放面の周辺部の間に対向する側部を有する周囲壁を有し、前記フィルタアセンブリが、対向する面を有し、前記面が貫通開口と略矩形周辺部とを有し、かつ前記面の前記周辺部の間に周囲壁を有する平行六面体フレームと、前記面の間の前記フィルタアセンブリフレーム内の空気ろ過材料のシートと、を有するタイプであり、前記フィルタアセンブリの前記面が、前記ボックスファンアセンブリの前記ハウジングの前記面に形状およびサイズが概して対応する、キットにして、
複数の取付部材であって、各々が、背面、前記背面とは反対側の正面ならびに間隔が空けられた第１端および第２端を有する背面部と、前記背面部の前記正面に沿って延在し間隔が空けられた第１端および第２端を有する正面部と、前記背面部および前記正面部の前記第１端を接合する端部であって、前記正面部、前記背面部および前記端部を横切る通路を画定する端部と、を有する、複数の取付部材と、
前記取付部材の前記背面を前記周囲壁の前記側部の前記外面に付着させるように適合された複数の長さの接着剤と、
前記取付部材が前記周囲壁の前記側部に付着されると、前記取付部材の前記通路内にかつ前記フィルタアセンブリの前記ボックスファンアセンブリとは反対側の面の周囲の前記取付部材の間に延在し、前記ボックスファンアセンブリの前記ハウジングの前記面のうちの１つに沿って前記フィルタアセンブリを保持する、少なくとも１つの弾性的伸縮性コードと、
を具備する、空気ろ過アセンブリを形成するキット。
【請求項９】
前記取付部材が、弾性的可撓性材料からなるクリップであり、前記クリップの各々の前記正面部が、前記クリップの前記背面部の正面に沿って位置しかつそれに対して付勢される、請求項８に記載の空気ろ過アセンブリを形成するキット。
【請求項１０】
前記伸縮性コードが、前記コードをループ状に形成するように互いに接合される両端を有する、請求項８に記載の空気ろ過アセンブリを形成するキット。
【請求項１１】
前記伸縮性コードが、両端と、前記両端の各々に形成された前記コードのループと、を有し、前記ループが、前記取付部材の前記通路内を延在するように適合される、請求項８に記載の空気ろ過アセンブリ。
【請求項１２】
少なくとも４つの取付部材を含む、請求項８に記載の空気ろ過アセンブリを形成するキット。
【請求項１３】
前記取付部材が、前記正面部が前記背面部から間隔が空けられたフックである、請求項８に記載の空気ろ過アセンブリ。
【請求項１４】
前記長さの接着剤が延伸剥離式接着剤の長さである、請求項８に記載の空気ろ過アセンブリ。
【請求項１５】
空気ろ過アセンブリを形成する方法であって、
保護グリルが取り付けられる正方形開放面を備えた平行六面体ハウジングと、前記ハウジングにかつその内部に取り付けられる固定部分、および同様に前記ハウジング内においてファンブレードが取り付けられるロータアセンブリを有する電気モータであって、前記ロータアセンブリが、前記モータを前記ボックスファンに含まれる電源に接続する手段を介して前記モータが作動されると、前記保護グリルを通るように空気を移動させるように、前記面に対して垂直でありかつ略そこに中心がある軸を中心に回転する、電気モータと、を有するタイプであり、前記ハウジングが、前記開放面の周辺部の間に対向する側部を有する周囲壁を有する、ボックスファンアセンブリを提供するステップと、
対向する面を有し、前記面が貫通開口と略矩形周辺部とを有し、かつ前記面の前記周辺部の間に周囲壁を有する平行六面体フレームと、前記フィルタアセンブリフレーム内の前記面の間のろ過材料のシートと、を有するタイプであり、前記フィルタアセンブリの前記面が、前記ボックスファンアセンブリの前記ハウジングの前記面に形状が対応する、フィルタアセンブリを提供するステップと、
複数の取付部材であって、各々が、背面、前記背面とは反対側の正面ならびに間隔が空けられた第１端および第２端を有する背面部と、前記背面部の前記正面に沿って延在し間隔が空けられた第１端および第２端を有する正面部と、前記背面部および前記正面部の前記第１端を接合する端部であって、前記正面部、前記背面部および前記端部を横切る通路を画定する端部と、を有する、複数の取付部材を提供するステップと、
複数の長さの接着剤を提供するステップと、
少なくとも１つの弾性的伸縮性コードを提供するステップと、
前記長さの接着剤を使用して前記取付部材の前記背面を前記周囲壁の前記側部の前記外面に付着させるステップと、
前記フィルタアセンブリの前記面のうちの前記１つを、前記フィルタアセンブリおよび前記ボックスファンアセンブリの前記ハウジングの前記周辺部を略位置合せして、前記ハウジングの前記面のうちの前記１つに沿って位置決めするステップと、
前記フィルタアセンブリを前記ボックスファンアセンブリの前記ハウジングの前記面に沿って保持するように、前記弾性的伸縮性コードを、前記取付部材の前記通路を通って、かつ前記フィルタアセンブリの前記ボックスファンアセンブリとは反対側の前記面の周囲の前記取付部材の間に伸長させかつ位置決めするステップと、
を含む、フィルタアセンブリを形成する方法。
【発明の詳細な説明】
【技術分野】
【０００１】
本発明は、閉鎖空間で空気から粒子を除去するために使用することができる空気ろ過アセンブリに関する。
【背景技術】
【０００２】
閉鎖空間で空気から粒子を除去するために使用することができる空気ろ過アセンブリが知られている。通常、かかる空気ろ過アセンブリは、シート状の空気ろ過材料を含むことができるかまたは静電吸引力によって作用することができるエアフィルタを含み、またそのエアフィルタ内で空気を移動させるファンアセンブリも含む。かかる空気ろ過アセンブリは、閉鎖空間においてフィルタを通して空気のわずかな部分を連続的に循環させることができ、それによって、時間の経過により、空気ろ過アセンブリは閉鎖空間における空気の清浄度を向上させる。特許文献１、特許文献２、特許文献３および特許文献４は、かかる空気ろ過アセンブリについて述べている。
【特許文献１】米国特許第４，４７７，２７２号明細書
【特許文献２】米国特許第４，７８１，５２６号明細書
【特許文献３】米国特許第６，０４５，３２９号明細書
【特許文献４】米国特許第６，２６４，７２７号明細書
【発明の開示】
【発明が解決しようとする課題】
【０００３】
米国特許第４，７８１，５２６号明細書は、（１）保護グリルが取り付けられる正方形開放面を備えた平行六面体ハウジングと、ハウジングにかつその内部に取り付けられる固定部分、および同様にハウジング内においてファンが取り付けられるロータアセンブリを有する電気モータと、を有し、ロータアセンブリが、モータをボックスファンアセンブリに含まれる電源に接続する手段を介してモータが作動されると、保護グリルを通るように空気を移動させるように、側面に対して垂直でありかつそこに略中心がある軸を中心に回転する、携帯型ボックスファンアセンブリと、（２）サイズがボックスファンアセンブリのハウジングの開放面に略対応する貫通開口を備えた対向する矩形面を有し、かつそれら面の周辺部の間に周囲壁を有する、平行六面体フレームと、フィルタアセンブリフレーム内のその面の間の空気ろ過材料のシートと、を有するフィルタアセンブリと、の組合せであるかかる空気ろ過アセンブリについて述べている。米国特許第４，７８１，５２６号明細書に述べられている空気ろ過アセンブリは、ハウジング内に含まれ、フィルタアセンブリを、その面のうちの１つがボックスファンの面のうちの１つに沿ってかつそれと位置合せされるように、位置決めし保持する特別な構造１６を有する。このため、上述したタイプのフィルタアセンブリと上述したタイプのボックスファンアセンブリとを有した人は、ボックスファンアセンブリに対向するその特別なアセンブリがなければ、フィルタアセンブリを、ボックスファンアセンブリのハウジングの面のうちの１つに沿って維持することが困難である。
【課題を解決するための手段】
【０００４】
本発明は、米国特許第４，７８１，５２６号明細に述べられているもののような特別な構造なしに、上述したタイプのフィルタアセンブリと上述したタイプのボックスファンアセンブリとを有する人が、空気ろ過アセンブリを、フィルタアセンブリの面のうちの１つがボックスファンアセンブリ用のハウジングの開放面のうちの１つに沿ってかつそれに位置合せされるように容易にかつ有効に形成することができるようにし、かつ、その人が後に、ボックスファンアセンブリからフィルタアセンブリを、いずれに対していかなる変更もなしに分離することも可能にする、キットを提供する。
【０００５】
本発明による空気ろ過アセンブリを形成するキットは、（１）保護グリルが取り付けられる正方形開放面を備えた平行六面体ハウジングと、ハウジングにかつその内部に取り付けられる固定部分、および同様にハウジング内においてファンブレードが取り付けられるロータアセンブリを有する電気モータであって、ロータアセンブリが、モータをボックスファンに含まれる電源に接続する手段を介してモータが作動されると、保護グリルを通るように空気を移動させるように、上記面に対して垂直でありかつそこに略中心がある軸を中心に回転する、電気モータと、を有し、ハウジングが、開放面の周辺部の間に、対向する側部を有する周囲壁を有する、携帯型ボックスファンアセンブリと、（２）ボックスファンアセンブリのハウジングの面にサイズが略対応する貫通開口を備える対向する面を有し、面の周辺部の間に周囲壁を有する、平行六面体フレームと、フィルタアセンブリ内のその面の間の空気ろ過材料のシートと、を有するフィルタアセンブリと、を接合する。
【０００６】
本発明によるキットは、（１）複数の取付部材（たとえばクリップおよびフック）であって、各々が、背面部と、背面部の正面に沿って延在する正面部と、背面部および正面部の隣接する第１端を接合する端部であって、正面部、背面部および端部を横切る通路を画定する端部と、を有する、複数の取付部材と、（２）取付部材の背面を周囲壁の側部の外面に付着させるように適合された複数の長さの接着剤と、（３）取付部材の通路内にかつフィルタアセンブリのボックスファンアセンブリとは反対側の面の周囲において取付部材の間に延在し、ボックスファンアセンブリのハウジングの面のうちの１つに沿ってフィルタアセンブリを保持する、少なくとも１つの弾性的伸縮性コードと、を有する。
【０００７】
本発明について、添付図面を参照してさらに説明する。それら図面において、夫々の図において同様の参照番号は同様の部分を指す。
【発明を実施するための最良の形態】
【０００８】
ここで図面を参照すると、図１には、図２に示す本発明による空気ろ過アセンブリ１６を形成するようにエアフィルタアセンブリ１２をボックスファンアセンブリ１４に取り付けるために使用することができる、本発明によるキット１０が示されている。
【０００９】
フィルタアセンブリ１２が取り付けられるボックスファンアセンブリ１４は、周知でありかつ市販のタイプであり、保護グリル２５が取り付けられる正方形開放面２４を備えた平行六面体ハウジング２２と、ハウジング２２にかつその内部に取り付けられる固定部、および同様にハウジング２２内においてファンブレード２３が取り付けられるロータアセンブリを有する電気モータ（図示せず）と、を有し、ロータアセンブリは、モータをボックスファンアセンブリ１４に含まれる電源に接続する手段を介してモータが作動されると、保護グリル２５を通るように空気を移動させるように、面２４に対して垂直でありかつそこに略中心がある軸を中心に回転する。ハウジング２２は、外面２８を有する対向側部を含む、開放面２４の周辺部の間の周囲壁２６を含む。
【００１０】
ボックスファンアセンブリ１４は、イリノイ州シカゴのレイクウッド・エンジニアリング・アンド・マニュファクチュアリング・カンパニー（Ｌａｋｅｗｏｏｄ  Ｅｎｇｉｎｅｅｒｉｎｇ  ａｎｄ  ｍａｎｕｆａｃｔｕｒｉｎｇ  ｃｏｍｐａｎｙ（Ｃｈｉｃａｇｏ，Ｉｌｌｉｎｏｉｓ））によって製造される、Ｋマート・モデル（Ｋ−Ｍａｒｔ  Ｍｏｄｅｌ）Ｋ−２３３として市販されているボックスファン等またはそれに類似する多数の容易に入手可能なファンアセンブリのうちの任意のものの１つであってもよい。かかるボックスファンは、通常、約２２インチ（５５．８ｃｍ）平方である、それらのハウジング２２の開放面２４を有する。
【００１１】
フィルタアセンブリ１２もまた、周知でありかつ市販のタイプであり、貫通開口および略矩形周辺部を備えた対向面３２を有し、かつ面３２の周辺部の間の周囲壁３４を有する平行六面体フレーム３０（たとえば、ボール紙またはポリマ材料製）と、フィルタアセンブリフレーム３０内のその面３２の間の空気ろ過材料のシート３６と、を有する。フィルタアセンブリ１２の側面３２は、概して、ボックスファンアセンブリ１４のハウジング２２の面２４に形状およびサイズが対応する。フィルタアセンブリ１２は、いずれも約２０×２０インチの面寸法を有することができ、かつそれらの面の間が約１インチ厚さである（４９．８×２９．８ｃｍ×２ｃｍ厚さ）、ミネソタ州セントポールの３Ｍカンパニー（３Ｍ  Ｃｏｍｐａｎｙ（Ｓｔ．Ｐａｕｌ，ＭＮ））から入手可能な「３Ｍ  フィルタレット（Ｆｉｌｔｒｅｔｅ）（商標）１０００マイクロ・アレルゲン（Ｍｉｃｒｏ  Ａｌｌｅｒｇｅｎ）フィルタ」として市販されているフィルタアセンブリ、または米国特許第６，８４３，８２０号明細書に述べられているフィルタアセンブリ等の多数の市販のフィルタアセンブリのうちの任意のものの１つであってもよい。
【００１２】
キット１０は、弾性的に可撓性の材料からなる複数の（たとえば図示するように４つの）取付部材またはクリップ４２を含む。クリップ４２（図１および図３参照）の各々は、正面および背面を有する背面部４４と、背面部４４の正面に沿って位置する正面部４８と、その背面部４４および正面部４８の隣接する端部を接合する弓形端部５２であって、その正面部４８、背面部４４および端部５２を横切る略円柱状通路５４を画定する弓形端部５２と、を有する。
【００１３】
キット１０はまた、クリップ１２の背面部４４の背面をボックスファンアセンブリ１４のハウジング２２の対向側部の外面２８に解放可能に付着させることができる複数本の（たとえば４本の）延伸剥離式接着剤の長さ５６と、少なくとも１本の伸縮性コード５８と、を有する。図示するような伸縮性コード５８は、その両端が、コード５８をループ状にするように金属フェルール６０によって互いに接合される。クリップ４２が、ハウジング２２の対向側部の外面２８に取り付けられた後、エアフィルタアセンブリ１２の面３２のうちの一方を、ハウジング２２の面２４のうちの一方に沿って配置することができ、図２に示す空気ろ過アセンブリ１６を形成するようにフィルタアセンブリ１２をボックスファンアセンブリ１４に対して保持するように、コード５８を、クリップ４２の通路内にかつエアフィルタアセンブリ１２の周囲においてクリップ４２の間に延在するように配置することができる。
【００１４】
図１に図示するように、キット１０は、４つのクリップ４２と、ループ状に形成された１つの伸縮性コード５８（コード５８は、たとえば約５６インチすなわち１４２．２ｃｍの長さを有することができる）と、を含むことができ、クリップ４２のうちの２つを、延伸剥離式接着剤の長さ５６を使用して、クリップ４２の背面部４４の背面をその表面２８に付着させることにより、一方を他方の上に間隔を空け（たとえば、約１２インチすなわち３０．５ｃｍ）かつハウジング２２の上面および底面からおよそ等しく間隔を空けて、ハウジング２２の各対向側部の外面２８に取り付けることができる。その後、コード５８がクリップ４２内に挿入されクリップ４２の間で張着される。望ましい場合、まずクリップ４２からコード５８を取り除いた後、延伸剥離式接着剤の長さ５６を、各長さ５６の端部のタブ６２を引っ張ることによって延伸させることにより、キット１０を、エアフィルタアセンブリ１２およびボックスファンアセンブリ１４からきれいに取り外すことができる。このように引き伸ばすことにより、接着剤の長さ５６のクリップ４２に対する、かつハウジング２２の対向側部の面２８に対する接着が剥離される。
【００１５】
伸縮性コード５８は、強力で、その引っ張る前の約２倍の長さまで引っ張ることが可能であるべきであり、それを引っ張るために著しい力が必要でなければならない。コード５８は、目立たないようにするために無色であるか、またはその長さの連続した部分に沿って異なる色のうちの１つまたは一続きの異なる色で着色されてもよい、布カバーを有することができ、引っ張られない時は約０．１３インチすなわち０．３３ｃｍの径を有することができ、２倍の長さまで引っ張るために約０．１４ポンド／インチを必要とすることができる。これら特性を有する適当な伸縮性コード５８は、香港、九龍のキング・オー・インダストリーズ（インターナショナル）社（Ｋｉｎｇ  Ｗｏ  Ｉｎｄｕｓｔｒｉｅｓ（Ｉｎｔｅｒｎａｔｉｏｎａｌ）Ｌｔｄ．（Ｋｏｗｌｏｏｎ，Ｈｏｎｇ  Ｋｏｎｇ））から販売されている。
【００１６】
クリップ４２を、各クリップ４２内の通路５４が、その正面部４８をその背面部４４から離れる方向に押すことなくコード５８の一部が通路４４内に配置されるのを可能にする径（たとえば約０．２インチすなわち０．５１ｃｍ）を有する、弾性的に可撓性のポリマ材料（たとえばポリプロピレン）から成形することができる。各クリップ４２の正面部４８は、その背面部４４に対して堅く押圧し（すなわち、その背面部４４に対して付勢され）、それら部分４８および４４は、コード５８が引っ張られているかまたは引っ張られていない前およびその間に、コード５８の一部をそれらの間で強固に保持するように互いの間で入れ子になる、対向した横方向のリブを有する。その遠位端に隣接する正面部４８の一部は、コード５８の部分４８および４４の間への挿入を容易にするために背面部４４から離れる方向に湾曲している。例として、各クリップ４２は、約０．６２５インチすなわち１．６ｃｍの幅と、約１．１２５インチすなわち２．８６ｃｍの背面部４４長と、約０．０７５インチすなわち０．１９ｃｍの弓形端部５２の厚さと、を有することができる。
【００１７】
延伸剥離式接着剤の長さ５６を、米国特許第６，４０３，２０６号明細書（ブリーズ（Ｂｒｉｅｓ他）、または対応する国際公開第９５／０６６９１号パンフレットに記載されているように作製することができる。一般に、かかる延伸剥離式接着剤の長さは、各々、ポリマフォーム（たとえばポリオレフィンフォーム）の中心層と、フォームの層の対向する主面に沿って接合される伸縮性ポリマフィルム（たとえば、ポリエチレンまたはポリプロピレンフィルム、直鎖状低密度および超直鎖状低密度ポリエチレンフィルムが好ましい）の２つの層と、タブ６２を提供する一端部を除くポリマフィルムの中心層とは反対側のフィルムの層の表面に沿って付着される延伸剥離式接着剤の外側層と、を備える。延伸剥離式接着剤の長さ５６が、タブ６２を引くことによって連続的に延伸される場合、接着剤の層は、それらが付着される表面から夫々剥離する。延伸剥離式接着剤の長さ５６は、約０．６３インチすなわち１．６ｃｍ幅であり、かつ約０．７５インチすなわち１．９ｃｍ長であるタブ部６２を含む約１．８８インチすなわち４．８ｃｍ長であることが好ましく、かかる延伸剥離式接着剤の長さ５６は、ミネソタ州セントポールの３Ｍカンパニー（３Ｍ  Ｃｏｍｐａｎｙ（Ｓｔ．Ｐａｕｌ，ＭＮ））から商標「コマンド・アドヒーシブ（Ｃｏｍｍａｎｄ  Ａｄｈｅｓｉｖｅ）」、「コマンド・ストリップ（Ｃｏｍｍａｎｄ  Ｓｔｒｉｐ）」および「コマンド・ウォーター・レジスタント・ストリップ（Ｃｏｍｍａｎｄ  Ｗａｔｅｒ  Ｒｅｓｉｓｔａｎｔ  Ｓｔｒｉｐ）」で販売されている。
【００１８】
別法として、延伸剥離式接着剤の長さ５６は、伸縮可能なポリマフィルムの単一層の対向する主面に沿って付着される主接着面を画定する延伸剥離式接着剤の２つの層から構成されてもよく、または米国特許第５，４０９，１８９号明細書（ルーマン（Ｌｕｈｍａｎｎ））に記載されている取付ストリップであってもよく、この取付ストリップは、２つの主接着面を画定する感圧接着剤の単一層から構成され、その突出するタブ端部の上に、そのタブ部に対し非粘着面を提供するポリマフィルムカバーを有し、そのタブ部により、感圧接着剤の層を延伸させることにより、それが間に付着されていた面から剥離させる。
【００１９】
ここで、本発明について、一実施形態を参照して説明した。当業者には、本発明の範囲から逸脱することなく説明した実施形態において多くの変更を行うことができる、ということが明らかとなろう。たとえば、任意の数のクリップ４２および伸縮性コード５８を使用して、フィルタアセンブリ１２をボックスファンアセンブリ１４に対して保持することができ、４〜１２個のクリップ４２と１〜３本のコード５８がもっとも実際的である。いずれか１つの伸縮性コードは、その端部が接合されていなくてもよいが、代りに、それらの端部がクリップ４２の通路５４を通って滑り落ちないように、その端部に結び目が形成されることも可能であり、または代りにそれらループがクリップ４２の通路５４と係合することが可能となるようにその端部にループが形成されていてもよい。図４では、端部にループ７２を有する２つのかかる伸縮性コード７０が、上述したエアフィルタアセンブリ１２を上述したボックスファンアセンブリ１４に取り付けるように示されている。図４に図示するように、上述したクリップ４２の代りに、ミネソタ州セントポールの３Ｍカンパニー（３Ｍ  Ｃｏｍｐａｎｙ（Ｓｔ．Ｐａｕｌ，ＭＮ））から入手可能な「コマンド（Ｃｏｍｍａｎｄ）」（商標）スモールフック（Ｓｍａｌｌ  Ｈｏｏｋ）Ｎｏ．１７００２として販売されている白色フックか、または同様に３Ｍカンパニー（３Ｍ  Ｃｏｍｐａｎｙ）から入手可能な「コマンド（Ｃｏｍｍａｎｄ）」（商標）ミニフック（Ｍｉｎｉ  Ｈｏｏｋ）Ｎｏ．１７００６として販売されている透明なフック等、フック７４の形態の取付部材を使用することができる。クリップ４２と同様に、それらフック７４もまた、各々、背面、その背面とは反対側の正面ならびに間隔が空けられた第１端および第２端を有する背面部と、背面部の表面に沿って延在しかつそこから間隔が空けられ、間隔が空けられた第１端および第２端を有する正面部と、背面部および正面部の第１端を接合する端部であって、正面部、背面部および端部を横切る通路を画定する端部と、を有する。また、クリップ４２またはフック７４のいずれかを、延伸剥離式接着剤の長さ５６によるか、またはクリップ４２またはフック７４をボックスファン１４のハウジング２２から容易に取り外すことが望まれない場合は永久接着剤の長さにより、表面２８に付着させることができる。このため、本発明の範囲は、本明細書において説明した構造および方法に限定されるべきではなく、特許請求の範囲およびその等価物の言語によって説明される構造および方法によってのみ限定されるべきである。
【図面の簡単な説明】
【００２０】
【図１】本発明による空気ろ過アセンブリを形成するために、エアフィルタアセンブリを同様に図１に示すボックスファンアセンブリに取り付けるために使用することができる、本発明によるキットの部品の斜視図である。
【図２】本発明による空気ろ過アセンブリを形成するために使用される図１に示すキットを示す。
【図３】図１のキットに含まれる複数のクリップのうちの１つの側面図を提供する図２の線３−３におよそ沿って取り出された拡大部分図である。
【図４】本発明による空気ろ過アセンブリを形成するためにエアフィルタアセンブリを同様に図４に示すボックスファンアセンブリに取り付けるために使用されている図１のキットに使用することができるコードおよび取付部材の代替実施形態の斜視図である。
【図１】
2008525192.tif 000003
【図２】
2008525192.tif 000004
【図３】
2008525192.tif 000005
【図４】
2008525192.tif 000006
【国際調査報告】
2008525192.tif 000007
2008525192.tif 000008
2008525192.tif 000009